(57)【要約】    【課題】巻き付けられた釣糸を簡単且つ確実に保持することができる釣糸用スプールの提供。    【解決手段】この釣糸用スプール１０は、コア１２と、フランジ１３、１４とを備えている。釣糸を保持するための釣糸挟持部１５及び釣糸を釣糸挟持部１５に案内する案内部１６がフランジ１３に設けられている。釣糸挟持部１５は、対向する一対の壁面２１、２２を有する。案内部１６は、この壁面２１、２２間に形成された段部２３を備える。釣糸用スプール１０は、サブスプール１１を備えている。サブスプール１１も釣糸挟持部３５及び案内部３６を備えている。サブスプール１１のフランジ３３は、コア１２の内側縁部を覆うように形成されている。サブスプール１１に巻き取られた釣糸は、コア１２とフランジ３３との隙間から引き出される。【選択図】図１
2006230207.tif 000002
【特許請求の範囲】
【請求項１】
釣糸が巻回される筒状のコア部と、
コア部の両端面に設けられた一対のフランジ部と、
少なくとも一方のフランジ部に設けられ、上記釣糸の端部を挟持する釣糸挟持部と、
上記釣糸の端部を釣糸挟持部に案内するための案内部とを備えた釣糸用スプール。
【請求項２】
上記コア部の内側に第２スプールが配置されており、
当該第２スプールは、
釣糸が巻回される筒状の第２コア部と、
第２コア部の両端面に設けられた一対の第２フランジ部と、
少なくとも一方の第２フランジ部に設けられ、上記釣糸の端部を挟持する第２釣糸挟持部と、
上記釣糸の端部を第２釣糸挟持部に案内する第２案内部とを備えている請求項１に記載の釣糸用スプール。
【請求項３】
上記第２スプールは、当該第２スプールの中心と上記コア部の中心とが一致された状態で上記コア部内で回転自在に設けられており、
上記一対の第２フランジ部のうち一方の第２フランジ部は上記コア部の外側に配置され且つ当該一方の第２フランジ部の外径寸法が上記コア部の内径寸法よりも大きく設定されており、
上記一対の第２フランジ部のうち他方の第２フランジ部は上記コア部の内側に配置されている請求項２に記載の釣糸用スプール。
【請求項４】
上記釣糸挟持部は、上記フランジ部の外縁から当該フランジ部の径方向内側に延びる一対の対向する壁面を有し、
上記案内部は、上記一対の壁面間に径方向に設けられた段部を有する請求項１から３のいずれかに記載の釣糸用スプール。
【請求項５】
上記案内部は、上記フランジ部の外縁に連続して径方向内側に設けられ且つ上記一対の対向する壁面のうち一方の壁面に連続する案内面を有する請求項４に記載の釣糸用スプール。
【請求項６】
上記第２釣糸挟持部は、上記第２フランジ部の外縁から当該第２フランジ部の径方向内側に延びる一対の対向する壁面を有し、
上記第２案内部は、上記一対の壁面間に径方向に設けられた段部を有する請求項２から５のいずれかに記載の釣糸用スプール。
【請求項７】
上記案内部は、上記第２フランジ部の外縁に連続して径方向内側に設けられ且つ上記一対の対向する壁面のうち一方の壁面に連続する案内面を有する請求項６に記載の釣糸用スプール。
【請求項８】
上記第２フランジ部は、指が係合され得る指掛部を備えている請求項２から７のいずれかに記載の釣糸用スプール。
【発明の詳細な説明】
【技術分野】
【０００１】
本発明は、長尺の釣糸が巻回される釣糸用スプールの構造に関するものである。
【背景技術】
【０００２】
一般に釣糸は、定尺寸法（５０ｍ〜２００ｍ程度）に切断され、これが釣糸用スプールに巻き取られた状態で販売され、使用される。釣糸用スプールは、一般にボビン状に形成されており、釣糸が巻き付けられる円筒部と、この円筒部の両端部に設けられたフランジ部とを有する。釣糸がいわゆる道糸として使用されるときは、釣糸用スプールに巻き取られた全部の釣糸が一時に使用されるが、例えば、釣糸がハリスとして使用されるときは、釣人は、釣糸用スプールから所要長さだけ釣糸を引き出して使用し、残りの釣糸は、その端部が当該釣糸用スプールに係止された状態で保存される。
【０００３】
釣糸が釣糸用スプールによって保存される場合は、釣糸の端部が釣糸用スプールに係止されていなければならない。このため、従来の釣糸用スプールは、釣糸の端部を係止するための係止部ないし係止具を備えているものがあり、当該係止部ないし係止具の形状、構造については、種々提案されている（例えば、特許文献１〜特許文献５参照）。
【０００４】
【特許文献１】特開２００４−１５４１５２公報
【特許文献２】特開２００３−１６４２４５公報
【特許文献３】特開２００１−２１１７９９公報
【特許文献４】特開２００１−１４８９８８公報
【特許文献５】特開平９−２４０９２６号公報
【発明の開示】
【発明が解決しようとする課題】
【０００５】
ところで、従来の上記係止部は、典型的には、釣糸用スプールに設けられたスリットから構成される。すなわち、釣糸用スプールのフランジに細溝（スリット）が形成され、釣糸用スプールに巻き付けられた釣糸は、その端部がこのスリットに挟み込まれることによって保持される。しかし、通常、上記スリットは、上記フランジの径方向に沿って形成されるものであるから、釣糸用スプールに巻き付けられた釣糸の端部を上記スリットに挟み込む作用は、釣人にとって必ずしも容易ではなかった。特に、夜釣り等では、釣人は、上記スリットの位置を確認しずらく、釣糸を保持する作業が困難となる。
【０００６】
そこで、本発明の目的は、巻き付けられた釣糸を簡単且つ確実に保持することができる釣糸用スプールを提供することである。
【課題を解決するための手段】
【０００７】
(1) 上記目的が達成されるため、本発明に係る釣糸用スプールは、釣糸が巻回される筒状のコア部と、コア部の両端面に設けられた一対のフランジ部と、少なくとも一方のフランジ部に設けられ、上記釣糸の端部を挟持する釣糸挟持部と、上記釣糸の端部を釣糸挟持部に案内するための案内部とを備えたことを特徴とするものである。
【０００８】
釣糸は、コア部に巻回され、巻き取られる。釣糸をコア部に巻き取る作業は、典型的には既知の釣糸巻取装置が行う。巻き取られた釣糸の端部は、釣糸挟持部によって挟持され保持される。このとき、この釣糸の端部は、案内部によって釣糸挟持部に案内される。したがって、釣人は、当該釣糸の端部を簡単に釣糸挟持部に挟持させることができる。
【０００９】
(2) 上記コア部の内側に第２スプールが配置されていてもよい。この第２スプールは、釣糸が巻回される筒状の第２コア部と、第２コア部の両端面に設けられた一対の第２フランジ部と、少なくとも一方の第２フランジ部に設けられ、上記釣糸の端部を挟持する第２釣糸挟持部と、上記釣糸の端部を第２釣糸挟持部に案内する第２案内部とを備えている。
【００１０】
第２スプールが設けられることにより、単一の釣糸用スプールに二種類の釣糸が巻き取られる。つまり、太いハリスと細いハリスとが単一の釣糸用スプールに巻き取られ、釣人は、実釣において二種類の釣糸を迅速に使い分けることができる。
【００１１】
(3) 上記第２スプールは、当該第２スプールの中心と上記コア部の中心とが一致された状態で上記コア部内で回転自在に設けられているのが好ましい。また、上記一対の第２フランジ部のうち一方の第２フランジ部は上記コア部の外側に配置され且つ当該一方の第２フランジ部の外径寸法が上記コア部の内径寸法よりも大きく設定されており、上記一対の第２フランジ部のうち他方の第２フランジ部は上記コア部の内側に配置されているのが好ましい。
【００１２】
この構成では、第２スプールが回転自在であることから、釣人が当該第２スプールに巻き取られた釣糸の端部を引っ張るだけで、第２スプールが回転し、当該釣糸が簡単に第２スプールから引き出される。また、第２スプールの一方の第２フランジ部の外径寸法がコア部の内径寸法より大きいので、この一方の第２フランジ部の外側の周縁部が上記コアの内側の周縁部を覆う。したがって、外部からゴミ等が第２スプールの第２コア内に侵入することが防止される。しかも、この一方の第２フランジ部は、上記コア部の外側に配置されているから、コアと一方の第２フランジ部との間に隙間が形成される。したがって、第２スプールに巻き取られた釣糸は、当該隙間から円滑に引き出される。
【００１３】
(4) 上記釣糸挟持部は、上記フランジ部の外縁から当該フランジ部の径方向内側に延びる一対の対向する壁面を有しているのが好ましい。また、上記案内部は、上記一対の壁面間に径方向に設けられた段部を有するのが好ましい。同様に、上記第２釣糸挟持部は、上記第２フランジ部の外縁から当該第２フランジ部の径方向内側に延びる一対の対向する壁面を有しているのが好ましい。また、上記第２案内部は、上記一対の壁面間に径方向に設けられた段部を有するのが好ましい。
【００１４】
この構成では、上記コア部又は上記第２コア部に巻き取られた釣糸の端部は、一対の壁面間に押し込まれる。すなわち、当該一対の壁面が釣糸の端部を挟持することによって、当該釣糸の端部が保持される。このとき、上記対向する一対の壁面間に上記段部が形成されているから、釣人が釣糸の端部を把持して上記段部に当接させるだけで、当該釣糸の端部をきわめて簡単にフランジ部又は第２フランジ部に保持させることができる。
【００１５】
(5) 特に上記案内部は、上記フランジ部の外縁に連続して径方向内側に設けられ且つ上記一対の対向する壁面のうち一方の壁面に連続する案内面を有するのが好ましい。同様に、特に上記案内部は、上記第２フランジ部の外縁に連続して径方向内側に設けられ且つ上記一対の対向する壁面のうち一方の壁面に連続する案内面を有するのが好ましい。
【００１６】
この構成では、釣人が釣糸の端部を把持して当該端部を上記案内面に沿ってスライドさせるだけで、当該釣糸の端部は、きわめて簡単にフランジ部又は第２フランジ部に保持される。
【００１７】
(6) 上記第２フランジ部は、指が係合され得る指掛部を備えているのが好ましい。この構成では、釣人は、指を指掛部に掛けることができるので、コア部に嵌め込まれた第２スプールを簡単に回転させることができる。これにより、例えば第２スプールから必要以上に釣糸が引き出されてしまった場合であっても、当該釣糸は迅速且つ簡単に第２スプールに巻き取られる。
【発明の効果】
【００１８】
本発明によれば、コア部に巻き付けられた釣糸の端部は、案内部によって簡単に釣糸挟持部に案内されるから、釣人は、当該釣糸の端部を簡単且つ確実に釣糸挟持部によって保持させることができる。具体的には、釣人が釣糸の端部を把持し、これを案内部に沿わせることによって、当該釣糸の端部は釣糸挟持部に案内され、保持される。したがって、夜釣り等においても、釣人は、釣糸を容易に扱うことができる。
【発明を実施するための最良の形態】
【００１９】
以下、適宜図面が参照されつつ、好ましい実施形態に基づいて本発明が詳細に説明される。
【００２０】
図１は、本発明の一実施形態に係る釣糸用スプールの斜視図である。また、図２は、分解斜視図である。この釣糸用スプール１０は、定尺寸法（例えば１０ｍ〜２００ｍ程度）に切断された釣糸を巻き取って保持するものである。この釣糸用スプール１０に巻き取られた釣糸は、製品としての道糸やハリスとして販売される。
【００２１】
この釣糸用スプール１０は、サブスプール１１（第２スプール）を備えている。サブスプール１１は、図１及び図２が示すように釣糸用スプール１０の内側（具体的には、後述されるコア１２の内側）に配置されている。このサブスプール１１が設けられることにより、この釣糸用スプール１０は、二種類の釣糸を巻き取ることができるようになっている。もっとも、サブスプール１１が省略されていてもよいことは勿論である。
【００２２】
釣糸用スプール１０は、コア１２（コア部材）と、フランジ１３、１４（フランジ部）とを備えている。釣糸を保持するための釣糸挟持部１５及び釣糸を釣糸挟持部１５に案内する案内部１６が上記フランジ１３（一方のフランジ部）に設けられている。本実施形態では、釣糸挟持部１５及び案内部１６は、フランジ１３にのみ設けられているが、これら釣糸挟持部１５及び案内部１６は、フランジ１４に設けられていてもよいし、フランジ１３、１４の双方に設けられていてもよい。コア１２及びフランジ１３、１４は、樹脂により一体的に形成されている。これらコア１２等を構成する樹脂は、典型的には、ＡＢＳ樹脂（アクリロニトリルブタジエンスチレン共重合体）、ＳＢＣ樹脂（スチレン・ブタジエン・ブロック共重合体）が採用されるが、他の樹脂が採用されていてもよいし、生分解樹脂が採用されてもよい。なお、本実施形態では、コア１２、フランジ１３、１４が一体的に形成されているが、これらが別部材として構成されることも可能である。
【００２３】
コア１２は、円筒状に形成されている。このコア１２の外周面に釣糸が巻回され巻き取られるようになっている。また、フランジ１３は、本実施形態では円形に形成されている。フランジ１３は、コア１２の一端面に連続して設けられており、コア１２の径方向外側に延びている。フランジ１４は、フランジ１３と同一形状であり、コア１２の他端面に連続して設けられている。なお、コア１２の形状は円筒状に限定されることはなく、一般に筒状に形成されていればよい。また、フランジ１３、１４の形状も円形に限定されるものではなく、要するに、コア１２の両端部から径方向外方へ突出する鍔状に形成されていればよい。
【００２４】
コア１２の他端面に連続して側板１７が設けられている。この側板１７は、コア１２と一体的に形成されており、コア１２の他端面側を閉塞している。ただし、この側板１７の中心に貫通孔１８が設けられている。さらに、この側板１７の中心にボス１９が設けられている。このボス１９は、側板１７と一体的に形成されている。このボス１９は、円筒状に形成されており、コア１２の内側に突出している。ボス１９の内径寸法は、上記貫通孔１８の内径寸法と一致している。すなわち、ボス１９の内壁面が上記貫通孔１８の内周面と滑らかに連続している。このボス１９には、一対の係合爪２０が形成されている。この係合爪２０は、ボス１９と一体的に形成されており、ボス１９の径方向に沿って対向配置されている。係合爪２０は、サブスプール１１がコア１２に嵌め込まれたときに、これを保持するようになっている。
【００２５】
図３は、釣糸用スプール１０の要部拡大図であり、上記釣糸挟持部１５及び案内部１６の構造が詳細に図示されている。
【００２６】
釣糸挟持部１５は、上記フランジ１３に設けられた一対の壁面２１、２２により構成されている。この壁面２１は、フランジ１３の外縁から径方向内側に延びている。また、壁面２２もフランジ１３の外縁から径方向内側に延びており、上記壁面２１と所定間隔ｄ１をあけて対向配置されている。すなわち、釣糸挟持部１５は、スリットから構成されている。このスリットの幅寸法（すなわち上記寸法ｄ１）は、コア１２に巻き取られる釣糸の外径寸法に応じて適宜設定される。
【００２７】
本実施形態では、一対の壁面２１、２２は略平行に対向しているが、破線で示されるように、一対の壁面２１、２２が互いに相対的に傾斜し、Ｖ字状の溝を構成していてもよい。すなわち、上記寸法ｄ１がフランジ１３の径方向内側に向かって漸次小さくなるように設定されていてもよい。その場合、釣糸は、一対の壁面２１、２２間に強固に挟持される。
【００２８】
案内部１６は、上記一対の壁面２１、２２間に設けられた段部２３を備えている。この段部２３は、同図が示すように、壁面２１と壁面２２との間に、径方向に段差が形成されるように設けられている。壁面２１の上端と壁面２２の上端との差Δｈ１（段差寸法）は、０．１ｍｍ〜６．０ｍｍの範囲で適宜設定され得る。ただし、この段差寸法Δｈ１は、０．２ｍｍ〜４．０ｍｍの範囲に設定されるのが好ましく、さらに、０．３ｍｍ〜３．０ｍｍの範囲に設定されるのがより好ましい。
【００２９】
本実施形態では、上記壁面２１（一方の壁面）に連続して案内面２４が形成されている。この案内面２４は、フランジ１３の外縁よりも径方向内側に設けられている。さらに、案内面２４は、上記壁面２１の上端に連続してフランジ１３の周方向に延びている。この案内面２４は、フランジ１３の外縁２５に連続するように形成されており、そのために、傾斜面２６を有している。なお、この案内面２４は省略されていてもよい。また、案内面２４が、フランジ１３の外縁２５に連続してフランジ１３の径方向内側に傾斜する傾斜面として構成されていてもよい。要するに、一対の壁面２１、２２との間に上記段部２３が形成されていればよい。本実施形態では、図３が示すように、上記壁面２２に連続してフランジ１３の周方向に延びる延設面２７が設けられている。ただし、この延設面２７は、省略されていてもよい。
【００３０】
図１及び図２が示すように、サブスプール１１は、コア３２（第２コア部材）と、フランジ３３、３４（第２フランジ部）とを備えている。また、釣糸を保持するための釣糸挟持部３５（第２釣糸挟持部）及び釣糸を釣糸挟持部３５に案内する案内部３６（第２案内部）が上記フランジ３３（一方の第２フランジ部）に設けられている。本実施形態では、釣糸挟持部３５及び案内部３６は、フランジ３３にのみ設けられているが、これら釣糸挟持部３５及び案内部３６は、フランジ３４（他方の第２フランジ部）に設けられていてもよいし、フランジ３３、３４の双方に設けられていてもよい。コア３２及びフランジ３３、３４は、樹脂により一体的に形成されている。これらコア３２等を構成する樹脂は、典型的には、ＡＢＳ樹脂（アクリロニトリルブタジエンスチレン共重合体）、ＳＢＣ樹脂（スチレン・ブタジエン・ブロック共重合体）が採用されるが、他の樹脂が採用されていてもよいし、生分解樹脂が採用されてもよい。なお、本実施形態では、コア３２、フランジ３３、３４が一体的に形成されているが、これらが別部材として構成されることも可能である。
【００３１】
コア３２は、円筒状に形成されている。このコア３２の外周面に釣糸が巻き取られるようになっている。フランジ３３は本実施形態では円形に形成されている。フランジ３３は、コア３２の一端面に連続して設けられており、コア３２の径方向外側に延びている。フランジ３４も円形に形成されており、コア３２の他端面に連続して設けられている。また、なお、コア３２の形状は円筒状に限定されることはなく、一般に筒状に形成されていればよい。また、フランジ３３、３４の形状も円形に限定されるものではなく、要するに、コア３２の両端部から径方向外方へ突出する鍔状に形成されていればよい。
【００３２】
図４は、釣糸用スプール１０の要部断面図である。
【００３３】
コア３２の一端面（フランジ３３が設けられた側の端面）に連続して側板３７が設けられている。この側板３７は、コア３２と一体的に形成されており、コア３２の一端面側を閉塞している。ただし、図２が示すように、この側板３７の中心に貫通孔３８が設けられている。さらに、この側板３７の中心にボス３９が設けられている。このボス３９は、側板３７と一体的に形成されている。このボス３９は、円筒状に形成されており、コア３２の内側に突出している。ボス３９の内径寸法は、上記貫通孔３８の内径寸法と一致している。すなわち、ボス３９の内壁面が上記貫通孔３８の内周面と滑らかに連続している。
【００３４】
前述のように、上記コア１２の側板１７に設けられた上記係合爪２０は、上記ボス３９の内壁面と係合し得る。これにより、サブスプール１１がコア１２に一定の保持力で保持される。すなわち、サブスプール１１は、その中心がコア１２の中心と一致するように当該コア１２の内部に嵌め込まれており、このコア１２内で上記ボス１９を回転中心軸として回転自在となっている。なお、上記貫通孔１８及び貫通孔３８には、釣糸巻取装置の巻取駆動軸が挿通されるようになっている。
【００３５】
図４が示すように、コア３２に設けられたフランジ３３は、上記コア１２の外側に配置されている。これにより、フランジ３３とコア１２との間に隙間ｆが形成されている。この隙間ｆは、コア３２に巻き取られる釣糸の外径寸法に応じて０．１ｍｍ〜４．５ｍｍの範囲で適宜設定され得る。ただし、この隙間ｆは、０．１５ｍｍ〜３．０ｍｍの範囲に設定されるのが好ましく、さらに、０．２ｍｍ〜２．５ｍｍの範囲に設定されるのがより好ましい。フランジ３３の外径寸法は、コア１２の内径寸法よりも大きく設定されている。したがって、フランジ３３は、上記コア１２の内縁部を覆う蓋部材として機能する。
【００３６】
本実施形態では、図４が示すように、フランジ３３は肉厚部４０が形成されている。この肉厚部４０は円盤状に形成されており、当該肉厚部４０の外縁に連続して薄肉部４１が形成されている。この薄肉部４１の肉厚寸法と肉厚部４０の肉厚寸法との差が、上記隙間ｆの寸法である。ただし、肉厚部４０の肉厚寸法はさらに大きく設定されていてもよい。要するに、上記隙間ｆが形成されるように肉厚部４０及び薄肉部４１が設けられていればよい。このように薄肉部４１が設けられることにより、コア３２に巻き付けられた釣糸は、上記隙間ｆから引き出される。この隙間ｆは、フランジ３３の周縁部にのみ設けられることとなるから、釣人が意図せずに釣糸がコア３２から外部に出ることはない。
【００３７】
また、図１及び図４が示すように、側板３７に凹部４２（指掛部）が設けられている。この凹部４２は、本実施形態では円形を呈しており、釣人がこの凹部４２に指先を嵌め込むことができるようになっている。本実施形態では、円形の凹部４２が設けられているが、釣人が指を掛けることができるものであれば、他の形状に形成されていてもよし、凸部が設けられていてもよいことは勿論である。さらに、本実施形態では、凹部４２は２箇所に設けられているが、凹部４２の数には何ら制限はない。
【００３８】
図５は、サブスプール１１の要部拡大図であり、上記釣糸挟持部３５及び案内部３６の構造が詳細に図示されている。
【００３９】
釣糸挟持部３５は、上記フランジ３３に設けられた一対の壁面５１、５２により構成されている。この壁面５１は、フランジ３３の外縁から径方向内側に延びている。また、壁面５２もフランジ３３の外縁から径方向内側に延びており、上記壁面５１と所定間隔ｄ２をあけて対向配置されている。すなわち、釣糸挟持部３５は、上記フランジ１３に設けられたスリットと同様のスリットから構成されている。このスリットの幅寸法（すなわち上記寸法ｄ２）は、コア３２に巻き取られる釣糸の外径寸法に応じて適宜設定される。
【００４０】
本実施形態では、一対の壁面５１、５２は略平行に対向しているが、破線で示されるように、一対の壁面５１、５２が互いに相対的に傾斜し、Ｖ字状の溝を構成していてもよい。すなわち、上記寸法ｄ２がフランジ３３の径方向内側に向かって漸次小さくなるように設定されていてもよい。その場合、釣糸は、一対の壁面５１、５２間に強固に挟持される。
【００４１】
案内部３６は、上記一対の壁面５１、５２間に設けられた段部５３を備えている。この段部５３は、同図が示すように、壁面５１と壁面５２との間に、径方向に段差が形成されるように設けられている。壁面５１の上端と壁面５２の上端との差Δｈ２（段差寸法）は、０．１ｍｍ〜５．０ｍｍの範囲で適宜設定され得る。ただし、この段差寸法Δｈ２は、０．２ｍｍ〜４．０ｍｍの範囲に設定されるのが好ましく、さらに、０．３ｍｍ〜２．０ｍｍの範囲に設定されるのがより好ましい。
【００４２】
本実施形態では、上記壁面５１に連続して案内面５４が形成されている。この案内面５４は、フランジ３３の外縁よりも径方向内側に設けられている。この案内面５４は、上記壁面５１の上端に連続してフランジ３３の周方向に延びている。この案内面５４は、フランジ３３の外縁５５に連続するように形成されており、そのために、傾斜面５６を有している。
【００４３】
なお、この傾斜面５６は省略されていてもよい。また、案内面５４が、フランジ３３の外縁５５に連続してフランジ３３の径方向内側に傾斜する傾斜面として構成されていてもよい。要するに、一対の壁面５１、５２との間に上記段部５３が形成されていればよい。さらに、本実施形態では、フランジ３３の外縁５５に連続してフランジ３３の径方向内側に傾斜する延設面５７が形成されている。ただし、この延設面５７は、省略されていてもよい。
【００４４】
本実施形態に係る釣糸用スプール１０は、次のように使用される。釣糸は、コア１２の外周面に巻き取られる。釣糸をコア１２に巻き取る作業は、既知の構成の釣糸巻取装置によって行われてもよい。巻き取られた釣糸の端部は、釣糸挟持部１５によって挟持され保持される。このとき、この釣糸の端部は、案内部１６によって釣糸挟持部１５に案内される。したがって、釣人は、釣糸の端部を簡単に釣糸挟持部１５に挟持させることができる。具体的には、釣人が釣糸の端部を把持し、これを案内部１６に沿わせることによって、当該釣糸の端部は釣糸挟持部１５に案内され、保持される。その結果、釣人が釣糸挟持部１５を目視しにくい夜釣り等においても、釣人は、釣糸を容易に扱うことができる。
【００４５】
本実施形態では、上記コア１２の内側にサブスプール１１が配置されている。このサブスプール１１が設けられることにより、単一の釣糸用スプールに二種類の釣糸が巻き取られることになる。例えば、太いハリスと細いハリスとが釣糸用スプール１０に巻き取られ、釣人は、実釣において二種類の釣糸を迅速に使い分けることができるという利点がある。
【００４６】
しかも、上記サブスプール１１が回転自在であることから、釣人がサブスプール１１に巻き取られた釣糸の端部を引っ張るだけで、サブスプール１１が回転し、釣糸が簡単にサブスプール１１から引き出される。また、サブスプール１１のフランジ３３の外径寸法がコア１２の内径寸法より大きいので、このフランジ３３の外側の周縁部が上記コア１２の内側の周縁部を覆う。すなわち、前述のように、フランジ３３は、上記コア１２の内縁部を覆う蓋部材として機能するから、外部からゴミ等がサブスプール１１のコア３２内に侵入することが防止される。しかも、このフランジ３３と上記コア１２との間に上記隙間ｆが設けられているから、サブスプール１１に巻き取られた釣糸は、当該隙間ｆから円滑に引き出されると共に、前述のように、釣人が意図せずに釣糸がコア３２から外部に出ることはない。
【００４７】
本実施形態では、図３が示すように、上記釣糸挟持部１５は、フランジ１３の外縁２５からフランジ１３の径方向内側に延びる一対の壁面２１、２２を有しているから、釣人は、コア１２に巻き取られた釣糸の端部を一対の壁面２１、２２間に押し込むだけで、簡単に釣糸の端部を壁面２１、２２によって保持させることができる。また、上記案内部１６は、上記段部２３を有しているから、釣人が釣糸の端部を把持してこの段部２３に当接させるだけで、釣糸の端部は、きわめて簡単に上記壁面２１、２２間に導かれる。同様に、サブスプール１１についても、図５が示すように、上記釣糸挟持部３５は、フランジ３３の外縁５５からフランジ３３の径方向内側に延びる一対の壁面５１、５２を有しているから、釣人は、コア３２に巻き取られた釣糸の端部を一対の壁面５１、５２間に押し込むだけで、簡単に釣糸の端部を壁面５１、５２によって保持させることができる。また、上記案内部１６は、上記段部５３を有しているから、釣人が釣糸の端部を把持してこの段部５３に当接させるだけで、釣糸の端部は、きわめて簡単に上記壁面２１、２２間に導かれる。したがって、釣糸用スプール１０に二種類の釣糸が巻き取られている場合であっても、釣人は、それぞれの釣糸の端部を容易に扱うことができる。
【００４８】
特に上記案内部１６、３６は、それぞれ、上記案内面２４（図３参照）及び案内面５４（図５参照）を備えている。したがって、釣人が釣糸の端部を把持して当該端部をこれら案内面２４、５４に沿ってスライドさせるだけで、当該釣糸の端部は、きわめて簡単にフランジ１３又はフランジ３３に保持される。その結果、釣人がより簡単に釣糸を扱うことができる。
【００４９】
加えて、フランジ３３の側板３７に凹部４２が設けられていることから、釣人は、この凹部４２に指を掛けてサブスプール１１を回転させることができる。これにより、例えばサブスプール１１から必要以上に釣糸が引き出されてしまった場合であっても、当該釣糸は迅速且つ簡単にサブスプール１１に巻き取られるという利点がある。
【産業上の利用可能性】
【００５０】
本発明は、釣糸を巻き取る釣糸用スプールに適用され得る。
【図面の簡単な説明】
【００５１】
【図１】図１は、本発明の一実施形態に係る釣糸用スプールの斜視図である。
【図２】図２は、本発明の一実施形態に係る釣糸用スプールの分解斜視図である。
【図３】図３は、本発明の一実施形態に係る釣糸用スプールの要部拡大図である。
【図４】図４は、本発明の一実施形態に係る釣糸用スプールの要部断面図である。
【図５】図５は、本発明の一実施形態に係る釣糸用スプールに設けられたサブスプールの要部拡大図である。
【符号の説明】
【００５２】
１０・・・釣糸用スプール
１１・・・サブスプール
１２・・・コア
１３・・・フランジ
１４・・・フランジ
１５・・・釣糸挟持部
１６・・・案内部
１７・・・側板
１８・・・貫通孔
１９・・・ボス
２０・・・係合爪
２１・・・壁面
２２・・・壁面
２３・・・段部
２４・・・案内面
２５・・・フランジの外縁
２６・・・傾斜面
２７・・・延設面
３２・・・コア
３３・・・フランジ
３４・・・フランジ
３５・・・釣糸挟持部
３６・・・案内部
３７・・・側板
３８・・・貫通孔
３９・・・ボス
４０・・・肉厚部
４１・・・薄肉部
４２・・・凹部
５１・・・壁面
５２・・・壁面
５３・・・段部
５４・・・案内面
５５・・・フランジの外縁
５６・・・傾斜面
【図１】
2006230207.tif 000003
【図２】
2006230207.tif 000004
【図３】
2006230207.tif 000005
【図４】
2006230207.tif 000006
【図５】
2006230207.tif 000007